(57)【特許請求の範囲】
【請求項１】
相対回転自在に支持された第１回転操作部材と第２回転操作部材を有し、該第１回転操作部材により露出補正値を設定し、該第２回転操作部材によりオートブラケットモードを設定する操作部材において、
前記第１回転操作部材には、該第１回転操作部材の停止位置に応じて設定される露出補正値を示す複数の露出補正値表示を周方向に所定の間隔を置いて付し、
前記第２回転操作部材には、該第２回転操作部材の停止位置に応じて設定されるオートブラケットモードを示す複数のオートブラケットモード表示を周方向に所定の間隔を置いて付し、さらに、前記第２回転操作部材により設定されたオートブラケットモードでの露出補正範囲を指し示す範囲マークを、前記第１回転操作部材の露出補正値表示に対応させて付したことを特徴とするカメラの操作部材。
【請求項２】
請求項１記載のカメラの操作部材において、前記範囲マークは、前記各オートブラケットモードにおけるオーバー側の露出補正値に対応する前記露出補正値表示を指し示すオーバー側範囲マークと、アンダー側の露出補正値に対応する前記露出補正値表示を指し示すアンダー側範囲マークとを備えているカメラの操作部材。
【請求項３】
請求項１または２記載のカメラの操作部材において、前記第１回転操作部材または前記第２回転操作部材のうち、一方は円形に形成された操作部を備え、他方は前記円形の操作部を囲む環状の操作部を備えているカメラの操作部材。
【請求項４】
請求項１から３のいずれか一項に記載のカメラの操作部材において、前記第１回転操作部材及び前記第２回転操作部材の近傍に設けられた指標と、前記第１回転操作部材の停止位置で前記指標に合致する前記露出補正値表示に対応する露出補正値を設定し、前記第２回転操作部材の停止位置で前記指標に合致する前記オートブラケットモード表示に対応するオートブラケットモードを設定する制御手段と、を備えたカメラの操作部材。
【請求項５】
請求項１から４のいずれか一項に記載のカメラの操作部材において、前記各露出補正値表示位置で前記第１回転操作部材を停止させる第１クリックストップ機構と、前記各オートブラケットモード表示位置で前記第２回転操作部材を停止させる第２クリックストップ機構と、を備えたカメラの操作部材。
【発明の詳細な説明】
【０００１】
【発明の技術分野】
本発明は、露出補正値（Ｘｖ）とオートブラケット（ＡＥＢ）撮影モードを設定するカメラの操作部材に関する。
【０００２】
【従来技術およびその問題点】
カメラが設定した露出値を撮影条件に合わせて増減し補正する露出補正機能と、適正露出値を中心としてオーバー側とアンダー側に自動的に露出値を補正し、複数コマ連続して撮影するオートブラケット（ＡＥＢ）機能とを備えたカメラが知られている。
しかし従来では、露出補正値を設定する操作手段とＡＥＢモードを設定する操作手段が別個に独立して設けられていたり、設定された露出補正値とＡＥＢモードの表示が離反していたりしたため、露出補正値とＡＥＢ撮影モードとの関連が分かりづらかった。特に、ＡＥＢモードで撮影をするときに露出補正をしている場合には、ＡＥＢモードで撮影される露出補正範囲を直観的に把握し難かった。
【０００３】
【発明の目的】
本発明は、設定した露出補正値とオートブラケット撮影範囲の関連がわかり易く、露出補正範囲の視認が容易なカメラの操作部材を提供することを目的とする。
【０００４】
【発明の概要】
本発明は、相対回転自在に支持された第１回転操作部材と第２回転操作部材を有し、該第１回転操作部材により露出補正値を設定し、該第２回転操作部材によりオートブラケットモードを設定する操作部材において、前記第１回転操作部材には、該第１回転操作部材の停止位置に応じて設定される露出補正値を示す複数の露出補正値表示を周方向に所定の間隔を置いて付し、前記第２回転操作部材には、該第２回転操作部材の停止位置に応じて設定されるオートブラケットモードを示す複数のオートブラケットモード表示を周方向に所定の間隔を置いて付し、さらに、前記第２回転操作部材により設定されたオートブラケットモードでの露出補正範囲を指し示す範囲マークを、前記第１回転操作部材の露出補正値表示に対応させて付したこと、に特徴を有する。この構成によれば、オートブラケットモード撮影を行うときに露出補正をしている場合でも、オートブラケットモードによって設定された露出補正範囲を容易に把握することができる。
【０００５】
【発明の実施の形態】
以下、図面に基づいて本発明を説明する。図１及び図２は、本発明を適用した設定ダイヤルの平面図である。図２に示す設定ダイヤル２はカメラボディ１の上飾り板上１１に設けられている。設定ダイヤル２の近傍には固定の指標１２が形成されている。設定ダイヤル２は、オートブラケット（ＡＥＢ）モードを設定するＡＥＢダイヤル３と、露出補正値（Ｘｖ）を設定するＸｖダイヤル４とを有している。ＡＥＢダイヤル３の操作部は円形に形成され、Ｘｖダイヤル４の操作部はＡＥＢダイヤル３の操作部を囲むよう環状に形成されている。設定ダイヤル２は、ＡＥＢダイヤル３とＸｖダイヤル４とが同軸で回転可能に支持された２段構成の回転操作部材となっている。
【０００６】
Ｘｖダイヤル４の表面には、周方向に一定の角度間隔で、−３、−２、−１、０、＋１、＋２、＋３（ＥＶ）という露出補正値表示４０ａ、４０ｂ、４０ｃ、４０ｄ、４０ｅ、４０ｆ、４０ｇが付されていて、さらに、これら各露出補正値表示４０ａ〜４０ｇの間には中間マーク４１ａ、４１ｂ、４１ｃ、４１ｄ、４１ｅ、４１ｆがそれぞれ付されている。中間マーク４１ａ〜４１ｆは、露出補正値表示４０ａ〜４０ｇによって表示された露出補正値の中間値を示している。
Ｘｖダイヤル４は、各露出補正値表示４０ａ〜４０ｇ、各中間マーク４１ａ〜４１ｆが指標１２と合致する位置でクリックストップするクリックストップ機構を備え、指標１２と合致した露出補正値表示４０ａ〜４０ｇまたは中間マーク４１ａ〜４１ｆに対応する露出補正値を設定する。カメラボディ１（ＣＰＵ）は、自動露出モードで設定した適正露出値または使用者が設定した適正露出値を、Ｘｖダイヤル４によって設定された露出補正値に基づいて補正し、補正後の露出値で露出制御を行う。
【０００７】
ＡＥＢダイヤル３の表面には、周方向に所定の角度間隔で、±（１／２）、±０、±１というＡＥＢモード表示３１、３２、３３が付されている。ＡＥＢダイヤル３は、各ＡＥＢモード表示３１〜３３が指標１２と合致する位置でクリックストップするクリックストップ機構を備え、指標１２と合致したＡＥＢモード表示３１〜３３に対応するＡＥＢモードをカメラボディ１（ＣＰＵ）に設定する。±（１／２）ＡＥＢモード表示３１が指標１２に合致しているときは、±（１／２）モードが設定され、適正露出値−０．５ＥＶ、適正露出値、適正露出値＋０．５ＥＶで連続撮影が行われる。±１ＡＥＢモード表示３３が指標１２に合致しているときは、±１モードが設定され、適正露出値−１ＥＶ、適正露出値、適正露出値＋１ＥＶで連続撮影が行われる。±０ＡＥＢモード表示３２が指標１２に合致しているときは、ＡＥＢ無しモードが設定され、適正露出値で１コマのみ撮影が行われる。
【０００８】
ＡＥＢダイヤル３の表面には、さらに、各ＡＥＢモード表示３１、３２、３３に対応するＡＥＢモードの露出補正範囲をＸｖダイヤル４の表示によって指し示す範囲マーク３４、３５、３６が付されている。
範囲マーク３４、３６の各々は、設定された（適正）露出値よりもオーバー側の露出補正値を指し示すオーバー側範囲マーク３４ａ、３６ａと、アンダー側の露出補正値を指し示すアンダー側範囲マーク３４ｂ、３６ｂを有している。オーバー側範囲マーク３４ａとアンダー側範囲マーク３４ｂは、±（１／２）ＡＥＢモード表示３１を中心にＸｖダイヤル４の１／２ＥＶ分と同じ角度間隔だけ離反されていて、オーバー側範囲マーク３６ａとアンダー側範囲マーク３６ｂは、±１ＡＥＢモード表示３３を中心にＸｖダイヤル４の１ＥＶ分と同じ角度間隔だけ離反されている。つまり、オーバー側範囲マーク３４ａ、３６ａとアンダー側範囲マーク３４ｂ、３６ｂによって挟まれたＸｖダイヤル４の表示範囲がＡＥＢモード撮影時の露出補正範囲を示すこととなる。
またＡＥＢダイヤル３の表面には、ＡＥＢダイヤル３を回転操作しやすくするための指掛かり３７が形成されている。
【０００９】
上記のＡＥＢダイヤル３及びＸｖダイヤル４を回転操作し、所望するＡＥＢモード及び露出補正値に対応する表示と指標１２とを合わせれば、ＡＥＢダイヤル３によって設定された露出範囲をＸｖダイヤル４の表示により視認することができる。
【００１０】
図３（ａ）に示す設定ダイヤル２では、±０ＡＥＢモード表示３２及び０露出補正値表示４０ｄが指標１２に合致しているので、露出補正値には０ＥＶが、ＡＥＢモードにはＡＥＢ無しモードが設定されていることがわかる。さらに範囲マーク３５が０露出補正値表示４０ｄと合致しているので、露出補正範囲は０であることがわかる。この場合には、ＡＥＢモード撮影は行われず、適正露出値のみで撮影が行われる。
図３（ｂ）に示す設定ダイヤル２では、ＡＥＢモード表示３３及び露出補正値表示４０ｄが指標１２と合致しているので、露出補正値には０ＥＶが、ＡＥＢモードには±１モードが設定されていることがわかる。さらにオーバー側範囲マーク３６ａは＋１露出補正値表示４０ｅと、アンダー側範囲マーク３６ｂは−１露出補正値表示４０ｃと合致しているので、−１ＥＶから＋１ＥＶの露出補正範囲でＡＥＢモード撮影が行われることがわかる。
図３（ｃ）に示す設定ダイヤル２では、ＡＥＢモード表示３１及び露出補正値表示４０ｄが指標１２と合致しているので、露出補正値には０ＥＶが、ＡＥＢモードには±（１／２）モードが設定されていることがわかる。さらにオーバー側範囲マーク３４ａが＋０．５ＥＶを示す中間マーク４１ｄと、アンダー側範囲マーク３４ｂが−０．５ＥＶを示す中間マーク４１ｃと合致しているので、−０．５ＥＶから＋０．５ＥＶの露出補正範囲でＡＥＢモード撮影が行われることがわかる。
図３（ｄ）に示す設定ダイヤル２では、ＡＥＢモード表示３３及び露出補正値表示４０ｆが指標１２と合致しているので、露出補正値には＋２ＥＶが、ＡＥＢモードには±１モードが設定されていることがわかる。さらにオーバー側範囲マーク３６ａは＋３露出補正値表示４０ｇと、アンダー側範囲マーク３６ｂは＋１露出補正値表示４０ｅと合致しているので、＋１ＥＶから＋３ＥＶの露出補正範囲でＡＥＢモード撮影が行われることがわかる。
【００１１】
以上のように、指標１２と合致しているＡＥＢモード表示３１〜３３を挟む範囲マーク３４〜３６が指し示すＸｖダイヤル４の表示によって露出補正範囲が示されるので、図３（ｄ）のようにＡＥＢモード撮影を行うときに露出補正をしている場合でも、ＡＥＢモードによって設定された露出補正範囲を容易に理解することができる。
【００１２】
以下に、図４を参照し、設定ダイヤル２の構成について説明する。図４は、図１の切断線Ｉ−Ｉに沿う断面図である。
Ｘｖダイヤル４は、中心に軸穴４ａを備えた環状に形成されていて、背面に形成された筒状軸４ｂを介して、カメラボディ１の上飾り板１１に形成された軸受け穴１３に回動自在に支持されている。軸受け穴１３は、上飾り板１１に形成されたボス１４によって補強されている。軸受け穴１３を貫通してカメラボディ１内部に突出した筒状軸４ｂの先端面には、環状に形成された抜け止め用の補強板１５がねじ１６によって固定されている。補強板１５には、Ｘｖダイヤルコード板２０に接触するＸｖダイヤル接片ブラシ２１が装着されている。Ｘｖダイヤル接片ブラシ２１は、詳細は図示しないが、Ｘｖダイヤル４が回転すると、Ｘｖダイヤルコード板２０上に形成されたコード部に独立して摺接可能な複数の接片を備えている。これら各接片は、不図示のプリント基板を介してカメラボディ１内の制御回路（ＣＰＵ）に接続される。各接片が接触するコード部は、Ｘｖダイヤル４が回転すると変わる。つまり、カメラボディ１内の制御回路（ＣＰＵ）は、Ｘｖダイヤル４の停止位置に応じて異なるコードの組合せを検知して、露出補正値を設定する。
【００１３】
Ｘｖダイヤル４を、Ｘｖダイヤル接片ブラシ２１が所定のコード部に接触した位置で停止させるために、Ｘｖダイヤル４と上飾り板１１との間にはクリックストップ機構が備えられている。Ｘｖダイヤル４の背面には、ボス１４に嵌る環状溝４ｃが形成されている。環状溝４ｃの底部には、クリックストップ機構を構成する凹部として、露出補正値表示４０ａ〜４０ｇ及び中間マーク４１ａ〜４１ｆの各背面位置にクリック穴４ｄが形成されている。一方、環状溝４ｃが嵌合するボス１４の上端面には、クリックボール２３を収容するクリックボール収容穴２３ａが形成されている。クリックボール２３は、クリックボール収容穴２３ａの底部に挿入されたクリックばね２３ｂによって、常時突出する方向に、即ちクリック穴４ｄに嵌合する方向に移動付勢されている。したがって、Ｘｖダイヤル４を回転操作すると、クリック穴４ｄがクリックボール２３から抜け出し、その後、クリック穴４ｄがクリックボール２３に嵌合するごとにＸｖダイヤル４が停止する。
【００１４】
ＡＥＢダイヤル３は、背面に軸部３ａを有する円筒状に形成されている。ＡＥＢダイヤル３は、カメラボディ１外部からＡＥＢダイヤル軸受２５の軸受け穴２５ａに挿入され、背面に突設されたリブがＸｖダイヤル４の上面に形成されたＡＥＢ嵌合穴４ｅに嵌合した状態で、ＡＥＢダイヤル軸受２５に回動自在に支持されている。ＡＥＢダイヤル軸受２５は、Ｘｖダイヤル４の軸穴４ａにカメラボディ１内部から挿入され、ねじ１７によって上飾り板１１に固定されている。軸受け穴２５ａを貫通してカメラボディ１内部に突出した軸部３ａの先端面には、ＡＥＢダイヤル接片ブラシ２７とクリック板ばね２８ｂを挟み込んで、押さえ板２４がねじ１８によって固定されている。ＡＥＢダイヤル接片ブラシ２７は、詳細は図示しないが、ＡＥＢダイヤル３が回転すると、ＡＥＢダイヤル軸受２５の底面に装着されたＡＥＢダイヤルコード板２６上に形成されたコード部に独立して摺接可能な複数の接片を備えている。これら各接片は、不図示のプリント基板を介してカメラボディ１内の制御回路（ＣＰＵ）に接続される。カメラボディ１内の制御回路（ＣＰＵ）は、ＡＥＢダイヤル３の停止位置に応じて異なるコードの組合せを検知して、ＡＥＢモードを設定する。
【００１５】
ＡＥＢダイヤル３を、ＡＥＢダイヤル接片ブラシ２７が所定のコード部に接触した位置で停止させるために、ＡＥＢダイヤル軸受２５と押さえ板２４との間にはクリックストップ機構が備えられている。
ＡＥＢダイヤル軸受け２５の背面には１つのクリック穴２５ｂが形成されていて、このクリック穴２５ｂとクリック板ばね２８ｂとの間にクリックボール２８が挿入される。クリックボール２８は、クリック板ばね２８ｂによって、常時突出する方向に、即ちクリック穴２５ｂに嵌合する方向に移動付勢されている。クリック板ばね２８ｂには、詳細は図示しないが、ＡＥＢダイヤル３の表面に形成されたＡＥＢモード表示３１〜３３に対応させた所定間隔で、複数のクリック溝が形成されている。したがって、ＡＥＢダイヤル３を回転操作すると、クリックボール２８がクリック溝から抜け出し、その後、クリックボール２８が次のクリック溝に嵌合するごとに、ＡＥＢモード表示３１〜３３が指標１２と合致する位置でＡＥＢダイヤル３が停止する。
【００１６】
以上の説明では、ＡＥＢダイヤル３の操作部を円形に形成し、Ｘｖダイヤル４の操作部をＡＥＢダイヤル３の操作部を囲む環状に形成した設定ダイヤル２について説明したが、本発明は上記に限定されず、Ｘｖダイヤルの操作部を円形に形成し、ＡＥＢダイヤルの操作部をＸｖダイヤルの操作部を囲む環状に形成してもよい。
【００１７】
【発明の効果】
本発明によれば、各オートブラケットモードでの露出補正範囲を指し示す範囲マークを、第１回転操作部材に付された露出補正値表示に対応させて、第２回転操作部材に付したので、設定した露出補正値とオートブラケットモードとの関連がわかり易く、オートブラケットモードで設定された露出補正範囲の視認が容易なる。そのため、オートブラケットモード撮影を行うときに露出補正をしている状態でも、オートブラケットモードの露出補正範囲を容易に把握することができる。
【図面の簡単な説明】
【図１】本発明を適用した設定ダイヤルを示す平面図である。
【図２】図１の設定ダイヤルを拡大して示す平面図である。
【図３】同設定ダイヤルにより設定される露出補正範囲を説明する図である。
【図４】図１の切断線Ｉ−Ｉに沿う断面図である。
【符号の説明】
１  カメラボディ
２  設定ダイヤル
３  ＡＥＢダイヤル
３ａ  軸部
４  Ｘｖダイヤル
４ａ  軸穴
４ｂ  筒状軸
４ｃ  環状溝
４ｄ  クリック穴
４ｅ  ＡＥＢ嵌合穴
１１  上飾り板
１２  指標
１３  軸受け穴
１４  ボス
１５  補強板
１６  １７  １８  ねじ
２０  Ｘｖダイヤルコード板
２１  Ｘｖダイヤル接片ブラシ
２３  クリックボール
２３ａ  クリックボール収容穴
２３ｂ  クリックばね
２４  押さえ板
２５  ＡＥＢ軸受
２５ａ  ＡＥＢ軸受け穴
２５ｂ  クリック穴
２６  ＡＥＢダイヤルコード板
２７  ＡＥＢダイヤル接片ブラシ
２８  クリックボール
２８ｂ  クリック板ばね
３１  ３２  ３３  ＡＥＢモード表示
３４  ３５  ３６  範囲マーク
４０ａ〜４０ｇ  露出補正値表示
４１ａ〜４１ｆ  中間マーク
【図１】
0003548501.tif 000002
【図２】
0003548501.tif 000003
【図３】
0003548501.tif 000004
【図４】
0003548501.tif 000005